(57)【要約】      （修正有）【課題】  記録媒体ディスク表面のレーベルが視認できて、さらにインデックスも利用できるディスク収納ケースを提供する。【解決手段】  一端縁同士が互いに連結され開閉自在とされた一対のケース半体４からなり、一対のケース半体４の内部に記録媒体ディスク２を収納するディスク収納ケース１で、一対のケース半体４のうち少なくとも一方に、ディスク収納ケース１に収納される記録媒体ディスク２を収容するディスクトレイ３が一体成形されてなるディスク収納ケース１において、ディスクトレイ３の内面に接する状態でシート状のインデックス５を収容する。【選択図】図１
2006240676.tif 000002
【特許請求の範囲】
【請求項１】
一端縁同士が互いに連結され開閉自在とされた一対のケース半体からなり、該一対のケース半体の内部に記録媒体ディスクを収納するディスク収納ケースであって、前記一対のケース半体のうち少なくとも一方に、前記ディスク収納ケースに収納される記録媒体ディスクを収容するディスクトレイが一体成形されてなるディスク収納ケースにおいて、
前記ディスクトレイの内面に接する状態でシート状のインデックスを収容したことを特徴とするディスク収納ケース。
【請求項２】
前記ディスクトレイが、前記記録媒体ディスクが嵌め込まれて収納される略円形のディスク収納凹部を有するものであり、前記インデックスが該ディスク収納凹部の内に収容される形状を有するものであることを特徴とする請求項１に記載のディスク収納ケース。
【請求項３】
前記インデックスの少なくとも片面に紫外線吸収剤を塗布したことを特徴とする請求項１又は２に記載のディスク収納ケース。
【請求項４】
前記インデックスが高剛性材料からなることを特徴とした請求項１、２又は３に記載のディスク収納ケース。
【発明の詳細な説明】
【技術分野】
【０００１】
本発明は、ディスク収納ケースに関し、特に、ＣＤ、ＤＶＤ等の記録媒体ディスクを収納するケースに関するものである。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、図３（ａ）に示す如く、記録媒体ディスク（図示しない）を着脱自在に保持するディスクトレイ１３と、このディスクトレイ１３を収納し、一端縁同士が互いに連結され、開閉自在な一対のケース半体１４からなるディスク収納ケース１１が広く用いられている。このように３部品で構成されたディスク収納ケース１１は、一般にディスクトレイ１３が嵌め込まれた裏側ケース半体１４ｂと、表側ケース半体１４ａの内面に、各々、カード状やブックレット状の表側インデックス１５ａ、裏側インデックス１５ｂが収容される構造になっている。
【０００３】
また、近年、保管スペースのスリム化を目的として、２部品で構成された薄型のディスク収納ケースが開示されている。（特許文献１）この薄型のディスク収納ケースは、図３（ｂ）に示す如く、開閉自在な表側ケース半体２４ａと裏側ケース半体２４ｂとからなり、裏側ケース半体２４ｂに記録媒体ディスク（図示しない）を着脱自在に保持するディスクトレイ２３を一体成形して、ディスクトレイの厚さ分だけディスク収納ケース２１を薄くしている。このように２部品で構成されたディスク収納ケース２１は、一般に表側ケース半体２４ａの内面に、カード状やブックレット状のインデックス２５ａが収容される構造になっている。
【特許文献１】特開２０００−８００８５号公報
【発明の開示】
【発明が解決しようとする課題】
【０００４】
しかし、上記のような２部品で構成された薄型のディスク収納ケースでは、ディスクトレイが一体成形された裏側ケース半体の内面に記録媒体ディスクが収納されるため、表側ケース半体の内面のみにしかインデックスが収容されない。このため記録媒体ディスクの表面に写真や画像等の印刷がなされているレーベルプリント対応の記録媒体ディスクを収納する場合に、表面側ケース半体の内面にインデックスが取り付けられているとせっかくのレーベルが視認できない。また、裏側ケース半体の内面にはインデックスが取り付けられないため、記録媒体ディスクの記録面が直接日光を浴びてしまい、紫外線の影響で記録媒体ディスクの記録層が劣化し、ディスクの読み込みが不安定になる恐れがある。
【０００５】
さらに近年、記録ディスクの高容量化、ディスク収納ケースの薄型化等に伴い、記録情報の保護のために、ディスク収納ケースには一層の高強度化が望まれてきている。一般に、２部品で構成された薄型のディスク収納ケースは、薄型であるが故に、曲げ応力に対する耐変形性が小さい傾向にあり、曲げ応力がかかると、記録媒体ディスクが収納ケースと共に僅かながらも変形する恐れがある。
【０００６】
本発明はかかる事情に鑑みてなされたものであり、記録媒体ディスク表面のレーベルが視認できて、さらにインデックスも利用できるディスク収納ケースを提供することを目的とするものである。
【０００７】
また紫外線による記録媒体ディスクの記録層の劣化を防止可能なディスク収納ケースを提供することを目的とするものである。
【０００８】
さらにまた耐変形性が良好なディスク収納ケースを提供することを目的とするものである。
【課題を解決するための手段】
【０００９】
本発明のディスク収納ケースは、一端縁同士が互いに連結され開閉自在とされた一対のケース半体からなり、該一対のケース半体の内部に記録媒体ディスクを収納するディスク収納ケースであって、前記一対のケース半体のうち少なくとも一方に、前記ディスク収納ケースに収納される記録媒体ディスクを収容するディスクトレイが一体成形されてなるディスク収納ケースにおいて、
前記ディスクトレイの内面に接する状態でシート状のインデックスを収容したことを特徴とするものである。
【００１０】
本発明のディスク収納ケースでは、前記ディスクトレイが、前記記録媒体ディスクが嵌め込まれて収納される略円形のディスク収納凹部を有するものであり、前記インデックスが該ディスク収納凹部の内に収容される形状を有するものとすることができる。
【００１１】
本発明のディスク収納ケースにおいては、前記インデックスの少なくとも片面に紫外線吸収剤を塗布することが特に好ましい。
【００１２】
本発明のディスク収納ケースにおいては、前記インデックスが高剛性材料からなることが特に好ましい。
【００１３】
本明細書において、「高剛性材料」とは「曲げ弾性率」が「５００ＭＰａ以上」の材料と定義する。
【発明の効果】
【００１４】
本発明のディスク収納ケースでは、ディスクトレイの内面に接する状態でシート状のインデックスを収容できるので、表側ケース半体の内面にカード状やブックレット状のインデックスを収容しなくてもインデックスを利用することができる。したがって表側ケース半体の内面にインデックスを収容しなければ、表側ケース半体の外面から記録媒体ディスクの表面に印刷がなされているレーベルを視認することができる。また、インデックスの少なくとも片面に紫外線吸収剤を塗布する場合には、紫外線吸収層が紫外線を吸収し、記録媒体ディスクの記録層の劣化を防止することができる。したがって、長時間紫外線を浴びても記録媒体ディスクの品質を良好な状態に維持できる。さらにインデックスが高剛性材料からなるものであれば、曲げ応力が加わった際には、インデックスによって、変形が抑えられるので、耐変形性も良好なものとなり、記録媒体ディスクの保護性が向上されたものとなる。
【発明を実施するための最良の形態】
【００１５】
次に、図面を参照し、本発明に係る実施形態のディスク収納ケースについて説明する。本実施形態のディスク収納ケースは、ＣＤ、ＤＶＤ、ＢＤ等の記録媒体ディスクを収納するケースである。
【００１６】
図１は本実施形態における開状態の分解斜視図を示すものである。
【００１７】
図１に示す如く、本実施形態のディスク収納ケース１は、開閉自在な表側ケース半体４ａと裏側ケース半体４ｂとから概略構成されている。この一対のケース半体４は共にポリスチレンからなり、一端縁同士が互いに連結されている。裏側ケース半体４ｂには、記録媒体ディスク２が嵌め込まれて収納される略円盤状のディスク収納凹部３ａを有するディスクトレイ３が一体成形されており、このディスク収納凹部３ａの中央部には、記録媒体ディスク２の中央開口部側を着脱自在に保持するディスククランパ３ｂが設けられている。そして、ディスク収納凹部３ａにはこのディスク収納凹部３ａの内面に接する状態で、円盤状のインデックス５が着脱可能に収容されている。このインデックス５は紙基材に剛性が付与できる樹脂を含浸させたものであり、表面にはディスク記録面に紫外線が照射されることを防ぐために、紫外線吸収剤が塗布されている。
【００１８】
ここで紙基材は、１００％パージンパルプのものから古紙を含んだコートポール、片面にクレイコート処理されたものなど様々な種類の原紙の紙基材を用いることが可能である。
【００１９】
紙基材に含浸する樹脂は、紙基材の強度を付与できるものとして、ポリビニルアルコール樹脂、ポリアクリルアミド樹脂、アクリル系樹脂、ポリエステル系樹脂、ポリエチレン系樹脂やポリプロピレン系樹脂などの樹脂を使用することが可能である。また含浸紙の片面あるいは両面に樹脂層を有する積層体を使用することも可能であり、外装容器となる含浸紙の外側にポリエチレン樹脂、ポリプロピレン樹脂がラミネートされた構成のものが好ましく用いられる。さらに、内面側にもポリエチレンやポリプロピレンのようなポリオレフェン系樹脂の他、ポリエステル樹脂、ポリアミド樹脂やポリカーボネート、ポリスチレン、アクリルなどの単体もしくはこれらの樹脂を組み合わせた複合フィルムなども使用可能である。
【００２０】
また、紫外線吸収剤としては、公知のものを使用することができ、例えば、サリチル酸系紫外線吸収剤、ペンソフェノン系紫外線吸収剤、トリアジン系紫外線吸収剤、ペンソトリアゾール系紫外線吸収剤、シアノアクリレート系紫外線吸収剤等を挙げることができる。中でも、吸収波長範囲、吸収能力が優れているという点から、ペンゾトリアゾール系紫外線吸収剤を使用することが好ましい。
【００２１】
なお、紫外線吸収剤の塗布は、上記に挙げた紫外線吸収剤をインデックス５上に所定の層厚が得られるように塗工し、乾燥することで行なうことができる。塗工方法として、ロールコーティング法、ロッドバーコーティング法、スプレーコーティング法、エアナイフコーティング法、スロットダイコーティング法、マイクログラビアコーティング法など種々の公知の塗工方法を挙げることができ、いずれの方法であっても良い。なお、紫外線吸収層の層厚としては、印画像面が保護できる程度であればよく、紫外線吸収能力により変わるが、通常、０．５〜１５μｍとすることが適当である。
【００２２】
本実施形態におけるインデックス５はディスク収納凹部に収容できる形状であれば、楕円形や長方形などにしてもよいし、便宜に設計変更可能である。ディスク収納凹部３ａから取り外しし易い様に例えば図２（ａ）に示す如く、円盤状の外周から内部に向ってＵ字状の切欠部を設けたものであっても、図２（ｂ）に示す如く、円の弦を平行に切った形状であってもよい。
【００２３】
また、記録媒体ディスク２がディスククランパ３ｂに保持された際、記録媒体ディスク２の記録面２ａとディスク収納凹部３ａの底面との間は、厚さ１０ｍｍのケースの場合が０．９ｍｍ、厚さ５ｍｍのケースの場合が０．４ｍｍ、厚さ４ｍｍのケースの場合が０．２ｍｍであるので、このことを考慮すればインデックス５の厚さは０．０５〜０．９ｍｍとすることが好ましく、ケースの薄型化を考慮すればインデックス５の厚さは０．１〜０．２ｍｍとすることが更に好ましい。
【００２４】
以上のようなディスク収納ケースによれば、ディスクトレイの内面に接する状態でシート状のインデックスを収容できるので、表側ケース半体の内面にインデックスを取り付けなくてもインデックスを利用することができ、表側ケース半体の外面から記録媒体ディスクの表面に印刷がなされているレーベルを視認することができる。
【００２５】
またインデックスに紫外線吸収剤が塗布してあるので、紫外線吸収層が紫外線を吸収し、記録媒体ディスクの記録層の劣化を防止することができて、長時間紫外線を浴びても記録媒体ディスクの品質を良好な状態に維持できる。さらにインデックスが高剛性材料からなるものなので、曲げ応力が加わった際には、このインデックスによって変形が抑えられて、耐変形性も良好なものとなり、記録媒体ディスクの保護性が向上される。
【００２６】
なお、本発明のディスク収納ケースは、前述した実施形態に限定されるものではなく、適宜な変形、改良等が可能である。例えば薄型のディスク収納ケースに限られず、通常のディスク収納ケースにも適用可能である。
【図面の簡単な説明】
【００２７】
【図１】本発明のディスク収納ケースの好適な態様を示す斜視図である。
【図２】本発明のインデックスの他の態様を示す外形図である。
【図３】従来のディスク収納ケースの斜視図である。
【符号の説明】
【００２８】
１      ディスク収納ケース
２      記録媒体ディスク
３      ディスクトレイ
４      ケース半体
４ａ    表側ケース半体
４ｂ    裏側ケース半体
５      インデックス
【図１】
2006240676.tif 000003
【図２】
2006240676.tif 000004
【図３】
2006240676.tif 000005